(57)【要約】【課題】矯正用ワイヤの脱落を防止するキャップの形状を簡便化すると共に、破損しないよう強度を確保しつつキャップを含む歯列矯正用具を薄状化し、また唇側矯正を行う場合だけではなく、舌側矯正を行う場合であっても、矯正用ワイヤの挿入が容易となることで、治療時間を短縮でき、操作性の向上した歯列矯正用具を提供すること。【解決手段】上方開口のワイヤ挿通用溝１０を横断状に形成した矯正用ブラケット本体１と、ワイヤ挿通用溝１０を被うように該矯正用ブラケット本体１の後端より矯正用ブラケット本体１に嵌着自在に構成した断面略コ字状のキャップ本体２と、矯正用ブラケット本体１とキャップ本体２とを、ワイヤ挿通用溝１０に挿通した矯正用ワイヤ３と干渉しない状態で緊縛する締結体４とより構成する。【選択図】図２
2010131368.tif 000002
【特許請求の範囲】
【請求項１】
上方開口のワイヤ挿通用溝を横断状に形成した矯正用ブラケット本体と、
ワイヤ挿通用溝を被うように該矯正用ブラケット本体の後端より矯正用ブラケット本体に嵌着自在に構成した断面略コ字状のキャップ本体と、
矯正用ブラケット本体とキャップ本体とを、ワイヤ挿通用溝に挿通した矯正用ワイヤと干渉しない状態で緊縛する締結体と
よりなる歯列矯正用具。
【請求項２】
断面略コ字状のキャップ本体の先端は、矯正用ブラケット本体前部の歯当接部の後側面に設けた嵌入凹部に嵌着自在としてなる請求項１に記載の歯列矯正用具。
【請求項３】
矯正用ブラケット本体後部の両側面には弾性紐状の締結体を挿通するための縦溝部を形成すると共に、コ字状のキャップ本体における上側板の左右縁部で該縦溝部に対応する位置には、該締結体が挿通する切欠部を形成してなる請求項１又は請求項２に記載の歯列矯正用具。
【請求項４】
コ字状のキャップ本体の垂直板両側は、矯正用ブラケット本体の後端面と相対する形状となるように左右張出し状に形成してなる請求項１〜３のいずれか１項に記載の歯列矯正用具。
【請求項５】
矯正用ブラケット本体の後端面に基準溝部を形成してなる請求項１〜４のいずれか１項に記載の歯列矯正用具。
【請求項６】
上方開口のワイヤ挿通用溝を横断状に形成した矯正用ブラケット本体と、
ワイヤ挿通用溝を上方から閉塞するように矯正用ブラケット本体に締結部材を介して回動自在に締結された閉塞体と、
矯正用ブラケット本体と閉塞体とを、ワイヤ挿通用溝に挿通した矯正用ワイヤと干渉しない状態で緊縛する締結体とよりなる歯列矯正用具。
【請求項７】
矯正用ブラケット本体後部の両側面には弾性紐状の締結体を挿通するための縦溝部を形成すると共に、閉塞体の左右縁部で該縦溝部に対応する位置には、該締結体が挿通する切欠部を形成してなる請求項６に記載の歯列矯正用具。
【発明の詳細な説明】
【技術分野】
【０００１】
本発明は、歯列矯正用具に関する。
【背景技術】
【０００２】
従来より、歯並びを矯正するための歯列矯正治療を行う場合には、各歯の表面に矯正用ブラケットをそれぞれ装着し、隣接した各矯正用ブラケットに矯正用ワイヤを架け渡しながら装着するとともに、矯正用ワイヤに所定の張力を加えて矯正用ワイヤと矯正用ブラケットとの間に矯正に必要な方向に力を相互作用させることで、矯正用ブラケットを介して歯に矯正のための力を作用させて適正な歯列状態へと矯正している。
【０００３】
つまり、矯正用ブラケットには、矯正用ワイヤを挿入可能とした略Ｕ字状の溝を設けており、この溝内に矯正用ワイヤを挿入した後に、溝内に接着剤を充填して矯正用ワイヤを固定し、矯正用ワイヤに加えられている張力に応じた力を矯正用ブラケットに作用させ、この矯正用ブラケットを介して歯に矯正のための力を作用させている。
【０００４】
ただし、接着剤を介して矯正用ワイヤを矯正用ブラケットに固定した場合には、矯正用ワイヤが矯正用ブラケットに対して変位しないことから、装着直後には十分な力を歯に作用させて矯正が行えるものの、歯列が矯正されるにつれて歯に作用する力が徐々に減少するので、このような力の減少を抑制するために、矯正用ワイヤは矯正用ブラケットに対して変位可能に装着している方が望ましいことが知られている。
【０００５】
そこで、矯正用ブラケットは、矯正用ワイヤが挿入される溝が形成された基台部と、この基台部に装着して溝の挿入された矯正用ワイヤを係止して溝からの矯正用ワイヤの脱落を防止する係止片とで構成し、特に、係止片を板バネとして機能させて、係止片に生じさせた付勢力でワイヤを基台部に対して変位可能な程度で溝内に保持する矯正用ブラケットが提案されている（例えば、特許文献１参照。）。
【０００６】
しかし、係止片を板バネとして矯正用ワイヤを保持する場合には、係止片に付勢力を生じさせておくために係止片が装着される基台部の構造が複雑化することとなって、歯列矯正用具を高コスト化させることとなっていた。
【０００７】
更に、係止片には付勢力が作用しているために、基台部への矯正用ワイヤの装着時に係止片の付勢力に抗しながら作業する必要があり、基台部が装着された歯に余計な力が作用することによって、矯正用ワイヤの装着時に被矯正者が不快感を覚えるおそれがあった。
【０００８】
このため、矯正用ブラケットに矯正用ワイヤを装着する際に、極めて容易に装着可能とすることによって、低コストであって、しかも被矯正者が不快感を覚えることがない歯列矯正用具が提案されている（例えば、特許文献２参照。）。
【先行技術文献】
【特許文献】
【０００９】
【特許文献１】特開２００１−１０４３４０号公報
【特許文献２】特開２００８−６１８０５号公報
【発明の概要】
【発明が解決しようとする課題】
【００１０】
しかしながら、特許文献２に開示された歯列矯正用具において、矯正用ワイヤの脱落を防止するストッパ（以下、本願発明では、「キャップ」ともいう。）は、ストッパを構成する係合爪が矯正用ブラケットを構成する係合溝に嵌着することにより、ストッパと矯正用ブラケットとを係合する構造であることから、ストッパの部材の強度を維持することができず、ストッパを着脱する際に繰り返し荷重がかかる箇所では、破損しやすいおそれがあった。
【００１１】
また、矯正用ワイヤを挿通するワイヤ挿通用溝は、側面視略コ字状であることから、特に、歯列を歯の裏側で矯正の行う場合、すなわち舌側矯正を行う場合、矯正用ワイヤが架設されにくいので、治療に時間がかかることとなり、歯列矯正用具の操作性が低下するおそれがあった。
【００１２】
よって、本発明が解決しようとする課題は、矯正用ワイヤの脱落を防止するキャップの形状を簡便化すると共に、破損しないよう強度を確保しつつキャップを含む歯列矯正用具を薄状化し、また唇側矯正を行う場合だけではなく、舌側矯正を行う場合であっても、矯正用ワイヤの挿入が容易となることで、治療時間を短縮でき、操作性の向上した歯列矯正用具を提供することにある。
【課題を解決するための手段】
【００１３】
そこで、請求項１に係る本発明では、歯列矯正用具において、上方開口のワイヤ挿通用溝を横断状に形成した矯正用ブラケット本体と、ワイヤ挿通用溝を被うように該矯正用ブラケット本体の後端より矯正用ブラケット本体に嵌着自在に構成した断面略コ字状のキャップ本体と、矯正用ブラケット本体とキャップ本体とを、ワイヤ挿通用溝に挿通した矯正用ワイヤと干渉しない状態で緊縛する締結体とよりなることを特徴とする。
【００１４】
また、請求項２に係る本発明では、請求項１に記載の歯列矯正用具において、断面略コ字状のキャップ本体の先端は、矯正用ブラケット本体前部の歯当接部の後側面に設けた嵌入凹部に嵌着自在としてなることを特徴とする。
【００１５】
また、請求項３に係る本発明では、請求項１又は請求項２に記載の歯列矯正用具において、矯正用ブラケット本体後部の両側面には弾性紐状の締結体を挿通するための縦溝部を形成すると共に、コ字状のキャップ本体における上側板の左右縁部で該縦溝部に対応する位置には、該締結体が挿通する切欠部を形成してなることを特徴とする。
【００１６】
また、請求項４に係る本発明では、請求項１〜３のいずれか１項に記載の歯列矯正用具において、コ字状のキャップ本体の垂直板両側は、矯正用ブラケット本体の後端面と相対する形状となるように左右張出し状に形成してなることを特徴とする。
【００１７】
また、請求項５に係る本発明では、請求項１〜４のいずれか１項に記載の歯列矯正用具において、矯正用ブラケット本体の後端面に基準溝部を形成してなることを特徴とする。
【００１８】
また、請求項６に係る本発明では、上方開口のワイヤ挿通用溝を横断状に形成した矯正用ブラケット本体と、ワイヤ挿通用溝を上方から閉塞するように矯正用ブラケット本体に締結部材を介して回動自在に締結された閉塞体と、矯正用ブラケット本体と閉塞体とを、ワイヤ挿通用溝に挿通した矯正用ワイヤと干渉しない状態で緊縛する締結体とよりなることを特徴とする。
【００１９】
また、請求項７に係る本発明では、請求項６に記載の歯列矯正用具において、矯正用ブラケット本体後部の両側面には弾性紐状の締結体を挿通するための縦溝部を形成すると共に、閉塞体の左右縁部で該縦溝部に対応する位置には、該締結体が挿通する切欠部を形成してなることを特徴とする。
【発明の効果】
【００２０】
請求項１記載の本発明によれば、歯列矯正用具において、矯正用ブラケット本体は、上方開口のワイヤ挿通用溝を横断状に形成したことから、唇側矯正を行う場合だけではなく、舌側矯正を行う場合でも、上方より矯正用ワイヤを挿通できるので、矯正用ワイヤが架設しやくなり、治療が短時間でできる。すなわち、歯列矯正用具の操作性を向上できる。また前述のように形成された矯正用ブラケット本体と、ワイヤ挿通用溝を被うように該矯正用ブラケット本体の後端より矯正用ブラケット本体に嵌着自在に構成した断面略コ字状のキャップ本体と、矯正用ブラケット本体とキャップ本体とを、ワイヤ挿通用溝に挿通した矯正用ワイヤと干渉しない状態で緊縛する締結体とよりなることから、歯列矯正用具全体の構成要素が少ないこととなり、その構成を簡便化でき、また矯正用ワイヤが矯正用ブラケットに対して変位可能な、換言すれば、矯正用ワイヤと矯正用ブラケットとが干渉しないようにすることができる。また、キャップ本体の形状も簡便化したことから、キャップ本体の着脱が容易になり、歯列矯正用具の操作性を向上できる。
【００２１】
請求項２記載の本発明によれば、請求項１に記載の歯列矯正用具において、断面略コ字状のキャップ本体の先端は、矯正用ブラケット本体前部の歯当接部の後側面に設けた嵌入凹部に嵌着自在としてなることから、キャップ本体を、矯正用ブラケット本体に容易に嵌着できる。つまり、矯正用ワイヤが矯正用ブラケットに対して変位可能でありながら、キャップ本体と矯正用ブラケット本体との嵌着構造が簡便化されるので、歯列矯正用具をより簡便化できる。
【００２２】
請求項３記載の本発明によれば、請求項１又は請求項２に記載の歯列矯正用具において、矯正用ブラケット本体後部の両側面には弾性紐状の締結体を挿通するための縦溝部を形成すると共に、コ字状のキャップ本体における上側板の左右縁部で該縦溝部に対応する位置には、該締結体が挿通する切欠部を形成してなることから、締結体を矯正用ブラケット本体とキャップ本体とで支えることとなり、締結体が外れにくくなる。その結果、矯正用ブラケット本体とキャップ本体とがずれることがなくなり、矯正用ワイヤも、矯正用ブラケット本体と干渉することがない。
【００２３】
請求項４記載の本発明によれば、請求項１〜３のいずれか１項に記載の歯列矯正用具において、コ字状のキャップ本体の垂直板両側は、矯正用ブラケット本体の後端面と相対する形状となるように左右張出し状に形成してなることから、矯正用ブラケット本体をキャップ本体で保護することができる。また、万が一、歯列矯正用具が破損するとしても、最も外部にあるキャップ本体が破損するおそれが高く、また、そのキャップ本体のみを交換すればよいことから、耐故障性能を向上させることができる。
【００２４】
請求項５記載の本発明によれば、請求項１〜４のいずれか１項に記載の歯列矯正用具において、矯正用ブラケット本体の後端面に基準溝部を形成してなることから、矯正用ブラケット本体を矯正対象の歯に取り付ける際に、目印とすることができる。その結果、取り付け対象の歯に対しての傾斜などを微調整でき、矯正精度や操作性を向上させることができる。
【００２５】
請求項６記載の本発明によれば、締結部材を介して矯正用ブラケット本体に回動自在に締結された閉塞体により、ワイヤ挿通用溝を上方から閉塞するようにしているので、閉塞体を上方に回動することによりワイヤを容易に挿通することができ、閉塞体を下方に回動することにより簡単な構造で閉塞することができる。
【００２６】
請求項７記載の本発明によれば、請求項６に記載の歯列矯正用具において、締結体を矯正用ブラケット本体と閉塞体とで支えることとなり、締結体が外れにくくなる。その結果、矯正用ブラケット本体と閉塞体とがずれることがなくなり、矯正用ワイヤも、矯正用ブラケット本体と干渉することがない。
【図面の簡単な説明】
【００２７】
【図１】本発明の一実施形態にかかる歯列矯正用具の矯正用ブラケット本体の説明図である。
【図２】本発明の一実施形態にかかる歯列矯正用具の矯正用ブラケット本体とキャップ本体の斜視図である。
【図３】本発明の一実施形態にかかる歯列矯正用具のキャップ本体の斜視図である。
【図４】本発明の一実施形態にかかる歯列矯正用具の全体斜視図である。
【図５】本発明の一実施形態にかかる歯列矯正用具を装着し、口唇矯正した場合の歯列の部分拡大図である。
【図６】本発明の一実施形態にかかる歯列矯正用具を装着し、舌側矯正した場合の歯列の部分拡大図である。
【図７】本発明の一実施形態にかかる歯列矯正用具の使用形態説明図である。
【図８】本発明の一実施形態にかかる歯列矯正用具の矯正用ブラケット本体と閉塞体の斜視図である。
【図９】本発明の一実施形態にかかる歯列矯正用具の閉塞体の開閉状態を示す斜視図である。
【図１０】本発明の一実施形態にかかる歯列矯正用具の矯正用ブラケット本体と閉塞体との締結状態を示す斜視図である。
【発明を実施するための形態】
【００２８】
以下に、本発明の一実施形態の構成について図面を参照しながら説明する。
【００２９】
図１は、歯列矯正用具の矯正用ブラケット本体の説明図であり、図２は、歯列矯正用具の矯正用ブラケット本体とキャップ本体の斜視図であり、図３は、歯列矯正用具のキャップ本体の斜視図であり、図４は、歯列矯正用具の全体斜視図であり、図５は、歯列矯正用具を装着し、口唇矯正した場合の歯列の部分拡大図であり、図６は、歯列矯正用具を装着し、舌側矯正した場合の歯列の部分拡大図であり、図７は、歯列矯正用具の使用形態説明図である。
【００３０】
本発明の一実施形態に係る歯列矯正用具Ａは、図１〜図４に示すように、上方開口のワイヤ挿通用溝１０を横断状に形成した矯正用ブラケット本体１と、ワイヤ挿通用溝１０を被うように該矯正用ブラケット本体１の後端より矯正用ブラケット本体１に嵌着自在に構成した断面略コ字状のキャップ本体２と、矯正用ブラケット本体１とキャップ本体２とを、ワイヤ挿通用溝１０に挿通した矯正用ワイヤ３と干渉しない状態で緊縛する締結体４とよりなる。
【００３１】
かかる構成とすることにより、歯列矯正用具Ａ全体の構成要素が少ないこととなり、その構成を簡便化でき、また矯正用ワイヤ３が矯正用ブラケット本体１に対して変位可能な、換言すれば、矯正用ワイヤ３と矯正用ブラケット本体１とが干渉しないようにすることができる。また、キャップ本体２の形状も簡便化したことから、キャップ本体２の着脱が容易になり、歯列矯正用具Ａの操作性を向上できる。
【００３２】
以下に、本発明の一実施形態の構成について図面を参照しながらさらに具体的に説明する。
【００３３】
矯正用ブラケット本体１について説明する。
【００３４】
図１は、歯列矯正用具Ａの矯正用ブラケット本体１の説明図である。図１（ａ）は矯正用ブラケット本体の背面図であり、図１（ｂ）は矯正用ブラケット本体の平面図であり、図１（ｃ）は矯正用ブラケット本体の左側面図であり、図１（ｄ）は矯正用ブラケット本体の底面図であり、図１（ｅ）は矯正用ブラケット本体の断面図であり、図１（ｆ）は矯正用ブラケット本体の正面図である。また、図２（ａ）は、歯列矯正用具Ａの矯正用ブラケット本体１を示した斜視図である。
【００３５】
矯正用ブラケット本体１は、正方立体形の歯当接部１１と、その後部に突設した後部ブラケット部１４とよりなる。
【００３６】
また、矯正用ブラケット本体１は、医療的に安全性を確認されている金属であれば種類を問わない。例えば、ステンレスやチタンやジルコニアや合成樹脂素材（コンポジットレジン等）などで形成することができる。特に、このような材料を用いて歯列矯正用具Ａを形成することにより、口内という金属にとって厳しい使用環境であっても、劣化や腐食することがない。その結果、歯列矯正用具Ａの破損等が少なくなる。
【００３７】
まず、歯当接部１１について説明する。歯当接部１１は、正方立体形とし、歯の表面と接着する歯接合面１１ａと、歯接合面１１ａの後側の面であるブラケット突設面１１ｂとを有する。
【００３８】
なお、歯接合面１１ａが、接着剤を介して、治療対象の歯の表面に接着され固定されることにより、歯列矯正用具Ａは、治療対象の歯に配設される。
【００３９】
また、ブラケット突設面１１ｂには、ワイヤ挿通用溝１０及び縦溝部１２などを有する後部ブラケット部１４が突設されている。
【００４０】
更に、ブラケット突設面１１ｂは、図１（ｅ）と図１（ｆ）と図２（ａ）に示すように、後部ブラケット部１４の基端の上下方に、後述するキャップ本体２の先端部２ａを嵌着するための略長方形で凹状の空間である嵌入凹部１５及び嵌入凹部１５の上部に連通連設した小嵌入凹部１５ａが穿設されている。
【００４１】
次に後部ブラケット部１４について説明する。後部ブラケット部１４の形状は、図２（ａ）に示すように、上面１４ａと下面１４ｂとを偏平とし、左右の両側面１４ｃ，１４ｃを湾曲に形成した略楕円柱形である。
【００４２】
略楕円柱形の後部ブラケット部１４の上面１４ａには上方開口のワイヤ挿通用溝１０が断面凹状で横断状に形成されており、ワイヤ挿通用溝１０より後端面１６側には締結体４を保持するための縦溝部１２が左右の両側面１４ｃ，１４ｃに凹状に形成されており、ワイヤ挿通用溝１０と歯当接部１１との間には矯正用ワイヤ３が歯当接部１１と干渉しないようにするための空隙１３が形成されている。
【００４３】
また、略楕円柱形の後部ブラケット部１４の偏平状の上面１４ａと下面１４ｂには、上方開口のスライド溝部１７が、断面凹状で後部ブラケット部１４の長手方向に縦断状に形成されている。更に、上面１４ａから下面１４ｂにかけて、円柱状のピン挿通孔１８が穿設されている。
【００４４】
ワイヤ挿通用溝１０は、図１（ｃ）と図２（ａ）に示すように、後部ブラケット部１４に形成された断面凹状で上方開口の横断状の溝である。
【００４５】
縦溝部１２は、後部ブラケット部１４の後端近傍において、弾性紐状の締結体４を挿通するために、左右の両側面１４ｃ，１４ｃに凹状に形成されている。
【００４６】
縦溝部１２は、後述するキャップ本体２が矯正用ブラケット本体１に係合した後に脱落するのを防止するための締結体４を保持する為の溝であり、締結体４がワイヤ挿通用溝１０に挿通した矯正用ワイヤ３と干渉しない状態で緊縛できる位置に形成されている。
【００４７】
すなわち、矯正用ワイヤ３をワイヤ挿通用溝１０に挿通した場合に、ワイヤ挿通用溝１０よりも後部の位置にずらして縦溝部１２，１２を形成しているので、矯正用ワイヤ３と干渉することなく締結体４を縦溝部１２，１２に嵌入保持して緊縛し、後部ブラケット部１４にキャップ本体２が固定される。
【００４８】
空隙１３は、ワイヤ挿通用溝１０と歯当接部１１との間の左右の両側面１４ｃ，１４ｃに凹状に形成された空間である。空隙１３が存在することにより、矯正用ワイヤ３は、歯当接部１１と干渉しない。
【００４９】
また、空隙１３は、歯列矯正用具Ａを各歯に設置し歯の矯正治療を行うにあたり、隣接する歯同士の間隔を狭めたり、その間隔を維持したりする際に使用する器具類を掛合するために形成された空間でもある。
【００５０】
ワイヤ挿通用溝１０と縦溝部１２と空隙１３とが、図１（ｂ）に示すように、最適な間隔で形成された歯列矯正用具Ａは、矯正用ブラケット本体１とキャップ本体２とを、ワイヤ挿通用溝１０に挿通した矯正用ワイヤ３と干渉しない状態で、締結体４を介して緊縛する。
【００５１】
歯当接部１１と後部ブラケット部１４とは、一の金属体から切削加工されて形成されてので、一体となっている。更に、後部ブラケット部１４において、ワイヤ挿通用溝１０と縦溝部１２と空隙１３とが切削加工により形成されている。
【００５２】
略楕円柱形の後部ブラケット部１４の後端面１６には、図１（ｆ）や図２（ａ）に示すように、細い溝状の横基準溝部１６ａが、後端面１６の長手方向に横断状に形成されている。ここでは複数本（２本）形成されており、上側の横基準溝部１６ａはワイヤ挿通用溝１０の上下中心位置を、下側の横基準溝部１６ａは矯正用ブラケット本体１の上下中心位置を、それぞれ示している。
【００５３】
また同様に、略楕円柱形の後部ブラケット部１４の後端面１６には、細い溝状の縦基準溝部１６ｂが、後端面１６の短手方向に縦断状に形成されており、矯正用ブラケット本体１の左右中心位置を示している。
【００５４】
スライド溝部１７は、偏平状の上面１４ａと下面１４ｂに形成された断面凹状で後部ブラケット部１４の長手方向に縦断状に形成された溝部であり、嵌入凹部１５に連通連設した前部スライド溝部１７ａと、縦溝部１２が形成されている後部ブラケット部１４の後端側に形成された後部スライド溝部１７ｂとより構成されている。
【００５５】
ピン挿通孔１８は、上面１４ａと下面１４ｂとの間に貫通状に穿設された円柱形の孔部である。後述するキャップ本体２を矯正用ブラケット本体１に固定する際にピン（図示しない）を用いる場合、同ピンを挿通するための孔部である。
【００５６】
次に、キャップ本体２について説明する。
【００５７】
キャップ本体２は、図２（ｂ）に示すように、板状の上側板２１と板状の下側板２２と上下側板２１，２２基端に架設した板状の垂直板２３とよりなり、断面略コ字状に構成されている。なお、上側板２１と下側板２２と垂直板２３とは、一の金属体からなり、一体となっている。
【００５８】
キャップ本体２は、矯正用ブラケット本体１の後部ブラケット部１４に後端から嵌着係合することにより、ワイヤ挿通用溝１０上方を被覆する。従って、矯正用ワイヤ３が矯正用ブラケット本体１に対して変位可能に装着された際に、矯正用ワイヤ３が矯正用ブラケット本体１のワイヤ挿通用溝１０から脱落しない。
【００５９】
すなわち、キャップ本体２の上側板２１が、ワイヤ挿通用溝１０の上方を被覆して、矯正用ワイヤ３がワイヤ挿通用溝１０の上方から抜去されないようにしている。
【００６０】
また、断面略コ字状のキャップ本体２の先端部２ａは、キャップ本体２を後部ブラケット部１４後端から嵌着した場合に、歯当接部１１後側面であるブラケット突設面１１ｂに設けた嵌入凹部１５に嵌着し、矯正用ブラケット本体１とキャップ本体２とを確実に係合する。
【００６１】
断面コ字状のキャップ本体２における上側板２１は、その左右縁部２１ａ，２１ａにおいて、キャップ本体２を後部ブラケット部１４に装着した場合の縦溝部１２，１２に対応する位置に、締結体４が挿通する切欠部２１ｂ，２１ｂがそれぞれ切欠形成されている。
【００６２】
すなわち、矯正用ブラケット本体１の後部ブラケット部１４後部の左右の両側面１４ｃ，１４ｃに弾性紐状の締結体４を挿通するためにそれぞれ形成された各縦溝部１２，１２の位置と切欠部２１ｂ，２１ｂの位置とが一致する。
【００６３】
キャップ本体２における下側板２２は、より確実に締結体４が外れにくくするために、その左右縁部２２ａ，２２ａにおいて、キャップ本体２を後部ブラケット部１４に装着した場合の縦溝部１２，１２に対応する位置に、締結体４が挿通する切欠部２２ｂ，２２ｂがそれぞれ切欠形成されている。
【００６４】
すなわち、矯正用ブラケット本体１の後部ブラケット部１４後部の左右の両側面１４ｃ，１４ｃに弾性紐状の締結体４を挿通するためにそれぞれ形成された各縦溝部１２，１２の位置と切欠部２２ｂ，２２ｂの位置とが一致する。なお、切欠部は、上側板２１のみ或いは下側板２２のみに形成しても構わない。
【００６５】
垂直板２３の外側面、すなわち矯正用ブラケット本体１の後端面１６と当接する面と反対側の面は、丘状（マウンド状）となっており、丸みを有する形状となっている。
【００６６】
また、キャップ本体２の形状について、図３（ａ）に示すように、断面コ字状のキャップ本体２の垂直板２３両側は、矯正用ブラケット本体１の後端面１６と相対する形状となるように左右張出し状に張出部２３ａ，２３ａが形成される。
【００６７】
孔部２４は、上側板２１と下側板２２とに穿設されており、キャップ本体２を矯正用ブラケット本体１と着脱する際に用いる器具を引っ掛けるために穿設された孔部である。他方、後述する締結体４をピン（図示しない）とした場合、ピン止め用孔部として使用してもよい。
【００６８】
以上のように構成されたキャップ本体２において、図３（ｂ）に示すように、通常のキャップ本体２と比較し、上側板２１と下側板２２と垂直板２３の幅が狭い形状を有する幅狭のキャップ本体２００を用いる場合がある。
【００６９】
幅狭のキャップ本体２００を用いる理由は、歯列矯正用具Ａを用いて歯列矯正を行う際に、ワイヤ挿通用溝１０において横架された矯正用ワイヤ３に張力が加えられて、上側板２１に当接した場合と、幅狭の上側板２１０に当接した場合とでは、矯正用ワイヤ３からキャップ本体２または幅狭のキャップ本体２００が受ける力の大きさや方向を異ならせることができるからである。
【００７０】
つまり、ワイヤ挿通用溝１０において横架され張力が加えられ矯正用ワイヤ３が、図３（ａ）に示す上側板２１に当接した場合は、矯正用ワイヤ３と上側板２１との接触面積が幅狭の上側板２１０の場合と比して広くなることから、キャップ本体２を用いた一の歯列矯正用具Ａにかかる力は大きくなる。
【００７１】
一方、ワイヤ挿通用溝１０において横架され張力が加えられ矯正用ワイヤ３が、図３（ｂ）に示す幅狭の上側板２１０に当接した場合は、矯正用ワイヤ３と幅狭の上側板２１０との接触面積が上側板２１の場合と比して狭くなることから、幅狭のキャップ本体を用いた歯列矯正用具Ａにかかる力は小さくなる。
【００７２】
このことから、キャップ本体２と幅狭のキャップ本体２００とを分けて使用し、あるいは組み合わせて使用することにより、歯列矯正を行う際、歯列矯正用具Ａの受ける力の大きさや方向を異ならせることができる。
【００７３】
その結果、矯正用ワイヤ３を交換せずとも、キャップ本体２と幅狭のキャップ本体２００とを、適宜、矯正対象の各歯において交換することで、矯正対象の各歯に、矯正に適した方向に力を負荷させたり、あるいは矯正に適した大きさの力を負荷させたりすることができるからである。また、その結果、治療にかかる時間を短縮したり、治療にかかる費用を抑えたりすることができる。
【００７４】
以下に、幅狭のキャップ本体２００について、図面を用いて詳細に説明する。
【００７５】
幅狭のキャップ本体２００は、図３（ｂ）に示すように、幅狭板状の上側板２１０と幅狭板状の下側板２２０と幅狭の上側板２１０及び幅狭の下側板２２０の基端に架設した幅狭板状の垂直板２３０とよりなり、断面略コ字状に構成されている。なお、幅狭の上側板２１０と幅狭の下側板２２０と幅狭の垂直板２３０とは、一の金属体からなり、一体となっている。また、幅狭のキャップ本体２００の基本的な形状は、キャップ本体２と同様である。
【００７６】
幅狭のキャップ本体２００は、矯正用ブラケット本体１の後部ブラケット部１４に後端から嵌着係合することによりワイヤ挿通用溝１０上方を被覆する。従って、矯正用ワイヤ３が矯正用ブラケット本体１に対して変位可能に装着された際に、矯正用ワイヤ３が矯正用ブラケット本体１のワイヤ挿通用溝１０から脱落しない。
【００７７】
すなわち、幅狭のキャップ本体２００の上側板２１０が、ワイヤ挿通用溝１０の上方を被覆して、矯正用ワイヤ３がワイヤ挿通用溝１０の上方から抜去されないようにしている。
【００７８】
また、断面略コ字状の幅狭のキャップ本体２００における幅狭の先端部２００ａは、幅狭のキャップ本体２００を後部ブラケット部１４後端から嵌着した場合に、歯当接部１１後側面であるブラケット突設面１１ｂに設けた嵌入凹部１５上部の小嵌入凹部１５ａに嵌着し、矯正用ブラケット本体１とキャップ本体２００とを確実に係合する。
【００７９】
断面コ字状の幅狭のキャップ本体２００における上側板２１０は、その左右縁部２１０ａ，２１０ａにおいて、幅狭のキャップ本体２００を後部ブラケット部１４に装着した場合の縦溝部１２，１２に対応する位置に、締結体４が挿通する切欠部２１０ｂ，２１０ｂがそれぞれ切欠形成されている。
【００８０】
すなわち、矯正用ブラケット本体１の後部ブラケット部１４後部の左右の両側面１４ｃ，１４ｃに弾性紐状の締結体４を挿通するためにそれぞれ形成された各縦溝部１２，１２の位置と切欠部２１０ｂ，２１０ｂの位置とが一致する。
【００８１】
幅狭のキャップ本体２００における下側板２２０は、より確実に締結体４が外れにくくするために、その左右縁部２２０ａ，２２０ａにおいて、幅狭のキャップ本体２００を後部ブラケット部１４に装着した場合の縦溝部１２，１２に対応する位置に、締結体４が挿通する切欠部２２０ｂ，２２０ｂがそれぞれ切欠形成されている。
【００８２】
すなわち、矯正用ブラケット本体１の後部ブラケット部１４後部の左右の両側面１４ｃ，１４ｃに弾性紐状の締結体４を挿通するためにそれぞれ形成された各縦溝部１２，１２の位置と切欠部２２０ｂ，２２０ｂの位置とが一致する。なお、切欠部は、幅狭の上側板２１０のみ或いは幅狭の下側板２２０のみに形成しても構わない。
【００８３】
幅狭の垂直板２３０の外側面、すなわち矯正用ブラケット本体１の後端面１６と当接する面と反対側の面は、丘状（マウンド状）となっており、丸みを有する形状となっている。
【００８４】
また、断面コ字状の幅狭のキャップ本体２００における垂直板２３０両側は、矯正用ブラケット本体１の後端面１６と相対する形状となるように左右張出し状に張出部２３０ａ，２３０ａが形成される。
【００８５】
キャップ本体２と同様に、幅狭の上側板２１０と幅狭の下側板２２０とには孔部２４０が、穿設されており、幅狭のキャップ本体２００を矯正用ブラケット本体１と着脱する際に用いる器具を引っ掛けるために穿設された孔部である。他方、後述する締結体４をピン（図示しない）とした場合、ピン止め用孔部として使用してもよい。
【００８６】
また、キャップ本体２や幅狭のキャップ本体２００は、医療的に安全性を確認されている金属であれば種類を問わない。例えば、ステンレスやチタンやジルコニアや合成樹脂素材（コンポジットレジン）などで形成することができる。特に、このような材料を用いて歯列矯正用具Ａを形成することにより、口内という金属にとって厳しい使用環境であっても、劣化や腐食することがない。その結果、歯列矯正用具Ａの破損等が少なくなる。特に、矯正用ブラケット本体１と同質の材料で形成することにより、意匠としての美観（審美性）が向上するだけでなく、材料のイオン化傾向の違いによる、電流の発生を防止することもできる。
【００８７】
次に、矯正用ワイヤ３について説明する。
【００８８】
矯正用ワイヤ３は、図５や図６に示すように、各歯の表面にそれぞれ装着された矯正用ブラケット本体１に架け渡しながら装着されると共に、矯正用ワイヤ３に所定の張力を加えて矯正用ワイヤ３と矯正用ブラケット本体１との間に、矯正に必要な方向に力を相互作用させることで、矯正用ブラケット本体１を介して歯に矯正のための力を作用させる。
【００８９】
矯正用ワイヤ３の材質は、医療的に安全性を確認されている金属であれば種類を問わない。例えば、チタンや超弾性チタンなどで形成される。
【００９０】
次に、締結体４について説明する。
【００９１】
弾性紐状の締結体４は、図４（ａ）と、図４のＩ−Ｉ線における断面図である図４（ｂ）とに示すように、矯正用ブラケット本体１のワイヤ挿通用溝１０に挿通した矯正用ワイヤ３がキャップ本体２とワイヤ挿通用溝１０とで形成されるワイヤ挿通空間Ｓにおいて干渉しない状態で緊縛する。換言すれば、締結体４は、矯正用ワイヤ３をキャップ本体２の上側板２１とワイヤ挿通用溝１０とで形成されるワイヤ挿通空間Ｓにおいて抱持した状態で矯正用ブラケット本体１とキャップ本体２とを締結する。
【００９２】
その際に、矯正用ワイヤ３は、矯正用ブラケット本体１に対して変位可能な、換言すれば、フリクションフリーな状態でワイヤ挿通空間Ｓにおいて抱持される。
【００９３】
また、締結体４は、前述のような弾性紐状に形成されている。例えば、金属ゴムや天然ゴムなどの、口内という厳しい使用環境であっても劣化や腐食することで機能が低下することのない材料を用いて形成される。
【００９４】
このように、例えば弾性紐状の締結体４を用いて矯正用ブラケット本体１とキャップ本体２とを緊縛することから、前述のキャップ本体２の形状は、複雑にならない。すなわち、締結体４を用いることで矯正用ブラケット本体１とキャップ本体２とが係合されることとなり、その結果、キャップ本体２に矯正用ブラケット本体１と係合するための爪部などを別途形成する必要がなくなるものである。
【００９５】
締結体４は、弾性紐状のものとは別に、ピン（図示しない）を用いてもよい。その際には、前述のように、上側板２１と下側板２２とに穿設された孔部２４が、ピン止め孔として使用されることとなる。
【００９６】
更に、締結体４は、弾性紐状のものとは別に、通常歯列の矯正に用いられる結紮線（図示しない）を用いてもよい。矯正用ブラケット本体１とキャップ本体２との間の矯正用ワイヤ３に干渉しない位置において、同結紮線を装着することにより、結紮線は、矯正用ブラケット本体１とキャップ本体２とを固定する。
【００９７】
以上のように構成された本発明の一実施形態に係る歯列矯正用具Ａの使用形態について図面を用いて具体的に説明する。
【００９８】
図５は、歯列矯正用具Ａを装着し、口唇矯正した場合の歯列の部分拡大図であり、図６は、歯列矯正用具を装着し、舌側矯正した場合の歯列の部分拡大図であり、図７は、歯列矯正用具Ａの使用形態説明図である。なお、図７（ａ）は、口唇矯正した場合の歯列矯正用具Ａの使用形態説明図であり、図７（ｂ）は、舌側矯正した場合の歯列矯正用具Ａの使用形態説明図である。
【００９９】
歯列矯正用具Ａは、図５〜図７示すように、歯の矯正治療を行う際に、歯の表面に複数個配設される。
【０１００】
まず、矯正用ブラケット本体１の歯当接部１１の歯接合面１１ａは、歯の表面に、接着剤を介して、固定される。歯の表面に固定された矯正用ブラケット本体１は、ワイヤ挿通用溝１０が上方開口となるように固定される。すなわち、矯正用ブラケット本体１は、バーティカルスロットであるワイヤ挿通用溝１０に矯正用ワイヤ３が上方から挿通できるような向きに固定される。
【０１０１】
このことから、唇側矯正を行う場合だけではなく、舌側矯正を行う場合でも、上方より矯正用ワイヤ３を挿通できるので、矯正用ワイヤ３が架設しやくなり、治療が短時間でできる。すなわち、歯列矯正用具Ａの操作性を向上できる。
【０１０２】
また、矯正用ブラケット本体１の後端面１６には横基準溝部１６ａや縦基準溝部１６ｂが形成されていることから、矯正用ブラケット本体１を歯の表面に固定する際、横基準溝部１６ａや縦基準溝部１６ｂに薄い板状の器具を当接させることにより、薄板状の器具を使用し、矯正用ブラケット本体１の上下又は左右の中心位置を確認しつつ矯正用ブラケット本体１の傾斜などを微調整し、固定することができる。その結果、歯列矯正用具Ａの操作性も向上できる。
【０１０３】
矯正用ブラケット本体１は、治療対象の歯列の状態を考慮して、歯に矯正の際の力が最適に負荷される位置に配設される。
【０１０４】
矯正用ブラケット本体１は、前述のように、歯当接部１１と後部ブラケット部１４とが一体成形されていることから、構成要素が少なくなるだけでなく、矯正用ブラケット本体１の強度向上を図ることができ、余計な凹凸がないことから、食べかすなどが残留しにくくなり、雑菌などが繁殖しにくくなるので、その結果、口内環境を衛生的に保つことができる。
【０１０５】
次に、矯正用ワイヤ３は、各歯に配設された矯正用ブラケット本体１を結ぶようにをワイヤ挿通用溝１０に挿通されて、横架される。
【０１０６】
矯正用ワイヤ３は、前述のように、医療的に安全性を確認されている金属であれば種類を問わない。例えば、チタンや超弾性チタンなどで形成されることから、口内という金属にとって厳しい使用環境であっても、劣化や腐食することがなくなり、その結果、歯列矯正用具Ａの破損等が少なくなる。
【０１０７】
更に、矯正用ワイヤ３の材質で、特に、超弾性チタンは、その性質から矯正に必要な方向に、矯正に必要な力を最適に相互作用させることができ、その結果、治療時間を短縮することができる。
【０１０８】
矯正用ワイヤ３がワイヤ挿通用溝１０に挿通され横架された状態の矯正用ブラケット本体１に、キャップ本体２が嵌着されることで形成されるワイヤ挿通空間Ｓに矯正用ワイヤ３が保持されることとなり、矯正用ワイヤ３は脱落することはない。
【０１０９】
矯正用ブラケット本体１とキャップ本体２とは、断面略コ字状のキャップ本体２の先端部２ａと上下方の各嵌入凹部１５とが嵌着することにより、確実に係合される。
【０１１０】
また、キャップ本体２を矯正用ブラケット本体１に係合させる際には、上側板２１及び下側板２２の各内面を後部スライド溝部１７ｂに当接させて歯当接部１１に向けて滑動させることにより、前部スライド溝部１７ａに当接させ、更に、歯当接部１１に向けて滑動させることにより、各先端部２ａが上下方の各嵌入凹部１５に嵌入させる。
【０１１１】
このように、キャップ本体２を、矯正用ブラケット本体１に容易にかつ確実に嵌着できるため、矯正用ワイヤ３が矯正用ブラケット本体１に対して変位可能でありながら、キャップ本体２と矯正用ブラケット本体１との嵌着構造が簡便化されるので、歯列矯正用具Ａをより簡便化できると共に、矯正用ワイヤ３が確実に保持される。
【０１１２】
特に、キャップ本体２を後部ブラケット部１４に係合固定するに際し、断面略コ字状のキャップ本体２の先端部２ａは、爪部などを有しないことから、その形状は、複雑とはならないので、キャップ本体２の製造コスト、ひいては歯列矯正用具Ａの製造コストを低く抑えることができ、その結果、安価で操作性のよい歯列矯正用具Ａを提供することができる。
【０１１３】
断面コ字状のキャップ本体２において、垂直板２３の外側面、すなわち矯正用ブラケット本体１の後端面１６と当接する面と反対側の面は、丘状（マウンド状）となっており、丸みを有する形状となっている。このことから、歯の矯正治療のために歯列矯正用具Ａを装着された患者は、口内で舌を動かした際、歯列矯正用具Ａに舌を引っ掛けて怪我することがない。
【０１１４】
また、矯正用ブラケット本体１に嵌着するキャップ本体２は、図２（ｃ）に示すように、断面コ字状のキャップ本体２の垂直板２３両側が矯正用ブラケット本体１の後端面１６と相対する形状となるように左右張出し状に形成した張出部２３ａ，２３ａを有するものを使用することができる。
【０１１５】
このような各張出部２３ａを有する形状のキャップ本体２を使用することにより、キャップ本体２は、矯正用ブラケット本体１をキャップ本体２で保護することができる。また、万が一、歯列矯正用具Ａが破損するとしても、最も外部にあるキャップ本体２が破損するおそれが高く、また、そのキャップ本体２のみを交換すればよいことから、耐故障性能を向上させることができる。また、歯列矯正用具Ａの全てを交換する必要がないことから、治療時間を短縮することができる。
【０１１６】
また、キャップ本体２は、通常の形状よりも幅の狭い形状のキャップ本体を使用することがある。つまり、基本的な形状が、キャップ本体２と同様であるが、上側板２１や下側板２２や垂直板２３の形状が幅狭であるキャップ本体２００を使用することがある。
【０１１７】
幅狭であるキャップ本体２００を使用する理由は、前述のように、矯正用ワイヤ３を交換せずとも、キャップ本体２と幅狭のキャップ本体２００とを、適宜、矯正対象の各歯において交換することで、矯正対象の各歯に、矯正に適した方向に力を負荷させたり、あるいは矯正に適した大きさの力を負荷させたりするためである。
【０１１８】
矯正用ワイヤ３がワイヤ挿通用溝１０に挿通され横架された状態の矯正用ブラケット本体１に、キャップ本体２の代わりに幅狭のキャップ本体２００が嵌着されることで形成されるワイヤ挿通空間Ｓに矯正用ワイヤ３が保持されることとなり、矯正用ワイヤ３は脱落することはない。
【０１１９】
矯正用ブラケット本体１と幅狭のキャップ本体２００とは、断面略コ字状の幅狭のキャップ本体２００における先端部２００ａと、上下方の各小嵌入凹部１５ａとが嵌着することにより、確実に係合される。
【０１２０】
また、幅狭のキャップ本体２００を矯正用ブラケット本体１に係合させる際には、幅狭の上側板２１０及び幅狭の下側板２２０の各内面を後部スライド溝部１７ｂに当接させて歯当接部１１に向けて滑動させることにより、前部スライド溝部１７ａに当接させ、更に、歯当接部１１に向けて滑動させることにより、幅狭の各先端部２００ａが上下方の各小嵌入凹部１５ａに嵌入させる。
【０１２１】
このように、幅狭のキャップ本体２００を、矯正用ブラケット本体１に容易にかつ確実に嵌着できるため、矯正用ワイヤ３が矯正用ブラケット本体１に対して変位可能でありながら、幅狭のキャップ本体２００と矯正用ブラケット本体１との嵌着構造が簡便化されるので、歯列矯正用具Ａをより簡便化できると共に、矯正用ワイヤ３が確実に保持される。
【０１２２】
特に、幅狭のキャップ本体２００を後部ブラケット部１４に係合固定するに際し、断面略コ字状の幅狭のキャップ本体２００における先端部２００ａは、爪部などを有しないことから、その形状は、複雑とはならないので、幅狭のキャップ本体２００の製造コスト、ひいては歯列矯正用具Ａの製造コストを低く抑えることができ、その結果、安価で操作性のよい歯列矯正用具Ａを提供することができる。
【０１２３】
断面コ字状の幅狭のキャップ本体２００において、幅狭の垂直板２３０の外側面、すなわち矯正用ブラケット本体１の後端面１６と当接する面と反対側の面は、丘状（マウンド状）となっており、丸みを有する形状となっている。このことから、歯の矯正治療のために歯列矯正用具Ａを装着された患者は、口内で舌を動かした際、歯列矯正用具Ａに舌を引っ掛けて怪我することがない。
【０１２４】
また、矯正用ブラケット本体１に嵌着する幅狭のキャップ本体２００は、図３（ａ）に示すように、断面コ字状の幅狭のキャップ本体２００における幅狭の垂直板２３０両側が矯正用ブラケット本体１の後端面１６と相対する形状となるように左右張出し状に形成した張出部２３０ａ，２３０ａを有する。
【０１２５】
このような各張出部２３０ａを有する幅狭のキャップ本体２００を使用することにより、幅狭のキャップ本体２００は、矯正用ブラケット本体１を保護することができる。また、万が一、歯列矯正用具Ａが破損するとしても、最も外部にある幅狭のキャップ本体２００が破損するおそれが高く、また、その幅狭のキャップ本体２００のみを交換すればよいことから、耐故障性能を向上させることができる。また、歯列矯正用具Ａの全てを交換する必要がないことから、治療時間を短縮することができる。
【０１２６】
矯正用ブラケット本体１に横架された矯正用ワイヤ３は、矯正対象の歯に別の方向に力を負荷させたり、或いは異なる大きさの力を負荷させたりする際には、取り替えられる。
【０１２７】
しかし、前述のように、キャップ本体２と幅狭のキャップ本体２００とを使い分けることにより、矯正対象の歯に別の方向に力を負荷させたり、あるいは異なる大きさの力を負荷させたりすることができるので、矯正用ワイヤ３を頻繁に交換する必要がなくなる効果がある。
【０１２８】
つまり、キャップ本体２の上側板２１の幅よりも、幅狭のキャップ本体２００の上側板２１０の幅が狭いことから、横架された矯正用ワイヤ３が、上側板２１に当接した場合と、幅狭の上側板２１０に当接した場合とでは、矯正用ワイヤ３からキャップ本体２または幅狭のキャップ本体２００が受ける力の大きさや方向が異なることとなり、その結果、矯正用ワイヤ３を交換せずとも、矯正対象の歯に適した方向に力を負荷させたり、あるいは適した大きさの力を負荷させたりすることができる。
【０１２９】
また、歯列矯正用具Ａを各歯に設置し歯の矯正治療を行い、治療が進行するに従って、隣接する歯同士の間隔を狭めたり、その間隔を維持したりする必要がある際には、器具類を矯正用ブラケット本体１に形成した空隙１３に掛合させて、歯列矯正用具Ａに力を加えることにより、矯正対象の歯に矯正に適した方向や矯正に適した大きさの力を負荷することもできる。
【０１３０】
弾性紐状の締結体４は、矯正用ブラケット本体１にキャップ本体２または幅狭のキャップ本体２００が嵌着し矯正用ワイヤ３が保持された状態において、キャップ本体２または幅狭のキャップ本体２００が矯正用ブラケット本体１から脱落しないように掛架される。
【０１３１】
つまり、掛架された締結体４は、矯正用ブラケット本体１の後部ブラケット部１４に形成された縦溝部１２において、矯正用ブラケット本体１と、キャップ本体２または幅狭のキャップ本体２００とを一体に支えることとなり、締結体４が外れにくくなる。その結果、矯正用ブラケット本体１と、キャップ本体２または幅狭のキャップ本体２００とがずれることがなくなり、矯正用ワイヤ３も、矯正用ブラケット本体１と干渉することがない。
【０１３２】
また、弾性紐状の締結体４は、矯正用ブラケット本体１の各縦溝部１２，１２だけでなく、キャップ本体２の上側板２１の左右縁部２１ａ，２１ａに形成された各切欠部２１ｂ，２１ｂに挿通され掛着されることによって、キャップ本体２が矯正用ブラケット本体１から脱落しないようにしている。
【０１３３】
同様に、弾性紐状の締結体４は、矯正用ブラケット本体１の各縦溝部１２，１２だけでなく、幅狭のキャップ本体２００の上側板２１０の左右縁部２１０ａ，２１０ａに形成された各切欠部２１０ｂ，２１０ｂに挿通され掛着されることによって、幅狭のキャップ本体２００が矯正用ブラケット本体１から脱落しないようにしている。
【０１３４】
更に、弾性紐状の締結体４は、矯正用ブラケット本体１の各縦溝部１２，１２だけでなく、キャップ本体２の下側板２２の左右縁部２２ａ，２２ａに形成された各切欠部２２ｂ，２２ｂにも挿通され掛着されることによって、キャップ本体２が矯正用ブラケット本体１からより確実に脱落しないようにしている。
【０１３５】
同様に、弾性紐状の締結体４は、矯正用ブラケット本体１の各縦溝部１２，１２だけでなく、幅狭のキャップ本体２００の下側板２２０の左右縁部２２０ａ，２２０ａに形成された各切欠部２２０ｂ，２２０ｂにも挿通され掛着されることによって、幅狭のキャップ本体２００が矯正用ブラケット本体１からより確実に脱落しないようにしている。
【０１３６】
なお、切欠部は、上側板２１に形成された各切欠部２１ｂ，２１ｂ或いは下側板２２に形成された各切欠部２２ｂ，２２ｂのどちらかだけでも構わない。どちらか一方だけに切欠部を設けることにより、キャップ本体２の製造コスト、ひいては歯列矯正用具Ａの製造コストを低く抑えることができ、その結果、安価な歯列矯正用具Ａを提供することができる。
【０１３７】
同様に、切欠部は、上側板２１０に形成された各切欠部２１０ｂ，２１０ｂ或いは下側板２２０に形成された各切欠部２２０ｂ，２２０ｂのどちらかだけでも構わない。どちらか一方だけに切欠部を設けることにより、幅狭のキャップ本体２００の製造コスト、ひいては歯列矯正用具Ａの製造コストを低く抑えることができ、その結果、安価な歯列矯正用具Ａを提供することができる。
【０１３８】
また、締結体４として弾性紐状のものとは別に、ピン（図示しない）を使用する際には、矯正用ブラケット本体１に穿設されたピン挿通孔１８と、キャップ本体２に穿設された孔部２４または幅狭のキャップ本体２００に穿設された孔部２４０とを一致させ、ピンを各孔に嵌通させることにより、矯正用ブラケット本体１と、キャップ本体２または幅狭のキャップ本体２００とを係合させることもできる。
【０１３９】
更に、締結体４は、弾性紐状のものとは別に、通常歯列の矯正に用いられる結紮線（図示しない）を用いてもよい。矯正用ブラケット本体１と、キャップ本体２または幅狭のキャップ本体２００との間の矯正用ワイヤ３に干渉しない位置において、同結紮線を装着することにより、結紮線は、矯正用ブラケット本体１と、キャップ本体２または幅狭のキャップ本体２００とを固定することもできる。
【０１４０】
歯列矯正の治療が進行し、矯正対象の歯に別の方向に力を負荷させたり、或いは異なる大きさの力を負荷させたりする際には、キャップ本体２と幅狭のキャップ本体２００との交換では対応できない場合、矯正用ブラケット本体１に横架された矯正用ワイヤ３は、取り替えることとなる。以下に、矯正用ワイヤ３の交換について、矯正用ブラケット本体１にキャップ本体２が嵌着していた場合について説明する。
【０１４１】
まず、探針などの器具を用いて、矯正用ブラケット本体１とキャップ本体２とを緊縛している締結体４を外す。
【０１４２】
次に、矯正用ブラケット本体１の嵌入凹部１５にキャップ本体２の先端部２ａが嵌着することで矯正用ブラケット本体１に係合しているキャップ本体２を外す。その際、キャップ本体２の上側板２１や下側板２２に穿設された孔部２４に探針などの器具を差し込んで、キャップ本体２は外される。
【０１４３】
キャップ本体２が外された状態において、矯正用ワイヤ３は、ワイヤ挿通用溝１０から自在に取り外すことができる。そして、次の治療段階に適合した矯正用ワイヤ３を適宜選択され、前述のように、選択された矯正用ワイヤ３は、各歯に配設された矯正用ブラケット本体１を結ぶようにワイヤ挿通用溝１０に挿通されて、横架される。
【０１４４】
前述と同様に、選択され横架された矯正用ワイヤ３は、各矯正用ブラケット本体１に、それぞれ各キャップ本体２が嵌着することで、脱落しない。
【０１４５】
その際、締結体４は、矯正用ブラケット本体１とキャップ本体２とを、ワイヤ挿通用溝１０に挿通した矯正用ワイヤ３と干渉しない状態で緊縛する。
【０１４６】
このように、歯列矯正用具Ａは、歯列矯正治療において、歯列矯正治療の進行度合いに応じて、矯正用ブラケット本体１が調整されたり、キャップ本体２と幅狭のキャップ本体２００とが交換されたり、矯正用ワイヤ３が交換されたりなどしながら用いられ、歯列矯正治療が終了した際には、各歯より取り外される。
【０１４７】
次に、上記した実施形態ではワイヤ挿通用溝１０を閉塞するのにキャップ本体２を用いていたが、これに代えて、図８〜図１０に示すように、矯正用ブラケット本体１にヒンジ３０（締結部材）により回動自在に構成した閉塞体３１を用いることもできる。なお、図８〜図１０で用いた符号は、図１〜図７に示した実施形態と同じ構成要素については同一のものを用いている。
【０１４８】
本実施形態では閉塞体３１は、図８に示すように、１枚板で構成され、その前端部に回動軸３３を取り付ける軸保持部３２が取り付けられている。また、閉塞体３１は、その左右縁部３１ａ，３１ａにおいて、閉塞体３１を後部ブラケット部１４に装着した場合の縦溝部１２，１２に対応する位置に、締結体４が挿通する切欠部３１ｂ，３１ｂがそれぞれ切欠形成されている。
【０１４９】
また、図８に示すように、矯正用ブラケット本体１の上方に形成した小嵌入凹部１５ａの両端部であって、歯接合面１１ａの後側の面であるブラケット突設面１１ｂに筒状の回動軸支持部３４が取り付けられている。
【０１５０】
そして、筒状の回動軸支持部３４に回動軸３３を枢支しヒンジ３０を構成し、矯正用ブラケット本体１に閉塞体３１を締結することにより、回動軸３３を軸として閉塞体３１を上下方向に回動自在に構成することができる。
【０１５１】
すなわち、閉塞体３１の前端部に取り付けた回動軸３３を軸にその後端部を上方に持ち上げることで、ワイヤ挿通用溝１０に矯正用ワイヤ３を挿通することができ、矯正用ワイヤ３を挿通した後は、後端部を下方に降ろすことによりワイヤ挿通用溝１０を閉塞するようにしている。
【０１５２】
そして、図１０に示すように、後部ブラケット部１４の縦溝部１２，１２に閉塞体３１の切欠部３１ｂ，３１ｂを対応させて位置させた状態で、弾性紐状の締結体４を掛架して
矯正用ブラケット本体１に閉塞体３１が嵌着して矯正用ワイヤ３が保持された状態において、閉塞体３１が矯正用ブラケット本体１から脱落しないようにしている。
【０１５３】
なお、締結体４は、弾性紐状のものとは別に、ピン（図示しない）を用いてもよい。その際には、前述のように、閉塞体３１に穿設された孔部２４が、ピン止め孔として使用されることとなる。
【０１５４】
以上のように、簡単な構造によりワイヤ挿通用溝１０を上方から閉塞するようにしているので、閉塞体３１を上方に回動することにより矯正用ワイヤ３を容易に挿通することができ、閉塞体３１を下方に回動することにより簡単な構造で閉塞することができる。
【０１５５】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【０１５６】
Ａ    歯列矯正用具
Ｓ    ワイヤ挿通空間
１    矯正用ブラケット本体
２，２００    キャップ本体
２ａ，２００ａ    先端部
３    矯正用ワイヤ
４    締結体
１０    ワイヤ挿通用溝
１１    歯当接部
１１ａ    歯接合面
１１ｂ    ブラケット突設面
１２    縦溝部
１３    空隙
１４    後部ブラケット部
１４ａ    上面
１４ｂ    下面
１４ｃ    側面
１５      嵌入凹部
１５ａ    小嵌入凹部
１６    後端面
１６ａ    横基準溝部
１６ｂ    縦基準溝部
１７ａ    前部スライド溝部
１７ｂ    後部スライド溝部
１８    ピン挿通孔
２１，２１０    上側板
２１ａ，２１０ａ    左右縁部
２１ｂ，２１０ｂ    切欠部
２２，２２０    下側板
２２ａ，２２０ａ    左右縁部
２２ｂ，２２０ｂ    切欠部
２３，２３０    垂直板
２３ａ，２３０ａ    張出部
２４，２４０    孔部
３０  ヒンジ（締結部材）
３１  閉塞体
３２  軸保持部
３３  回動軸
３４  回動軸支持部
【図１】
2010131368.tif 000003
【図２】
2010131368.tif 000004
【図３】
2010131368.tif 000005
【図４】
2010131368.tif 000006
【図５】
2010131368.tif 000007
【図６】
2010131368.tif 000008
【図７】
2010131368.tif 000009
【図８】
2010131368.tif 000010
【図９】
2010131368.tif 000011
【図１０】
2010131368.tif 000012